(57)【特許請求の範囲】
【請求項１】
回路基板上に形成された信号配線を流れるノイズを除去するためのノイズフィルタを有し、このノイズフィルタの複数個が前記各信号配線に個別に対応するようにアレイ状に配置されて一体化されているものであって、
前記各ノイズフィルタは、絶縁体の外部に前記信号配線に接続される一対の外部電極が形成される一方、前記絶縁体の内部には複数のコイルが直列接続されてその両端が外部電極にそれぞれ電気的に接続され、かつ、前記複数のコイルのうちの少なくとも一つのコイルにはコンデンサが並列に接続されており、
前記各コイルは、前記絶縁体を介して複数積層されたコイル導体をビアホールを介して螺旋状に接続することにより構成され、かつ、各コイルの共振点は互いに異なるように設定されており、また、前記コンデンサは、前後のコイル間にあって両コイルに電気的に共通接続されたシールド電極と前記両外部電極のうちの少なくとも一方側の外部電極に一端が電気的に接続されたキャパシタンス形成電極の他端とが前記絶縁体を介して対向配置されることにより構成され、さらに、前記キャパシタンス形成電極の前記外部電極接続側の端部は前記各コイルの外部電極接続側の端部と当該外部電極を介して互いに電気的に接続されることにより、各共振周波数が互いに異なる複数のＬＣ並列共振回路が構成されており、
かつ、前記各信号配線ごとに設けられている前記各コイルどうしの接続点が、ノイズ還流用コンデンサを介して非接地の状態で共通に接続されていること
を特徴とするノイズフィルタアレイ。
【請求項２】
回路基板上に形成された信号配線を流れるノイズを除去するためのノイズフィルタを有し、このノイズフィルタの複数個が前記各信号配線に個別に対応するようにアレイ状に配置されて一体化されているものであって、
前記各ノイズフィルタは、絶縁体の外部には前記信号配線に接続される一対の外部電極が形成される一方、前記絶縁体の内部には複数のコイルが直列接続されてその両端が外部電極にそれぞれ電気的に接続され、かつ、前記複数のコイルのうちの少なくとも一つのコイルにはコンデンサが並列に接続されており、前記各コイルは、前記絶縁体を介して複数積層されたコイル導体をビアホールを介して螺旋状に接続することにより構成され、かつ、各コイルの共振点は互いに異なるように設定されており、また、前記コンデンサは、前記コイル導体と前記両外部電極のうちの少なくとも一方側の外部電極に一端が電気的に接続されたキャパシタンス形成電極の他端とが前記絶縁体を介して対向配置されることにより構成され、さらに、前記キャパシタンス形成電極の前記外部電極接続側の端部は前記各コイルの外部電極接続側の端部と当該外部電極を介して互いに電気的に接続されることにより、各共振周波数が互いに異なる複数のＬＣ並列共振回路が構成されており、
かつ、前記各信号配線ごとに設けられている前記各コイルどうしの接続点が、ノイズ還流用コンデンサを介して非接地の状態で共通に接続されていること
を特徴とするノイズフィルタアレイ。
【請求項３】
前後のコイル間にはコイル軸方向に直交してシールド電極が配設されていることを特徴とする請求項２記載のノイズフィルタアレイ。
【請求項４】
前記シールド電極は、少なくとも前後の各コイルの口径の面積の１／２以上を覆う面積を有するように設定されていることを特徴とする請求項１または３記載のノイズフィルタアレイ。
【請求項５】
前記コイルと、このコイルに対して並列接続された前記コンデンサと、前記コイル形成に伴って生じる浮遊コンデンサとにより低域側のＬＣ並列共振回路が構成され、また、前記コイルとこのコイル形成に伴って生じる浮遊コンデンサとで高域側のＬＣ並列共振回路が構成されていることを特徴とする請求項１〜３のいずれかに記載のノイズフィルタアレイ。
【発明の詳細な説明】
【技術分野】
【０００１】
本願発明は、回路基板上に形成された信号配線を流れるノイズを有効に除去するためのノイズフィルタアレイに関する。
【背景技術】
【０００２】
例えば、携帯電話の通信方式によっては、一台の携帯電話で複数の通信帯域を使用するものがある。そして、各通信帯域での受信感度劣化を防止するためには、各々の周波数帯域でノイズを有効に除去することが必要となる。
【０００３】
このようなノイズ除去のために使用されるノイズフィルタとして、従来よりチョークコイルやフェライトビーズ、ラダー型のＬＣフィルタなどが知られている。
【０００４】
ここで、上記のチョークコイルをノイズフィルタとして使用する場合には、チョークコイルを各信号配線に単に実装するだけでノイズを除去することができるためノイズ対策が容易であるが、チョークコイルは、ノイズを除去することができる帯域が比較的狭く、特定周波数のノイズしか有効に除去することができず、複数の周波数帯域のノイズを同時に除去することが難しいという問題点がある。
【０００５】
また、フェライトビーズを用いる場合には、チョークコイルの場合と同様に、フェライトビーズを各信号配線に単に実装するだけでノイズを除去することができるためノイズ対策は容易であるが、フェライトビーズは、低周波域でもノイズを除去するため、必要な信号を減衰させるなど、信号波形に及ぼす影響が大きく、また、高減衰が得られないため十分なノイズの除去効果を得ることができない場合がある。
【０００６】
また、上述のラダー型のＬＣフィルタは、Ｔ型、π型、Ｌ型などの各種のものがあるが、これらのいずれにおいてもインダクタンスとキャパシタンスとを適宜設定することにより、広帯域のノイズ除去特性が得られるものの、コンデンサに連なる外部電極を接地する必要があるため、ラダー型のＬＣフィルタが実装される回路基板には、接地用電極パターンを形成することが不可欠となる。このため、回路基板の配線の自由度が制限されるという問題点がある。
【０００７】
さらに、高密度実装を行う回路基板においては、複数の信号配線が形成されるが、部品レイアウトによってはこれらの信号配線とともに十分な線幅の接地用電極パターンを形成することが困難な場合があり、その結果、接地用電極パターンに寄生するインダクタンスの影響によりラダー型のＬＣフィルタの周波数特性が変化してノイズを十分に除去できなくなるという不具合がある。
【０００８】
一方、従来技術では、誘電体内に複数のコイル導体を螺旋状に積層してコイルを形成し、このコイルのインダクタンスとコイル導体間の浮遊容量とにより一つのトラップ回路を形成してなるフィルタ素子を備えるとともに、当該素子の両側に、磁性体内に複数のコイル導体を螺旋状に積層してコイルを形成し、このコイルのインダクタンスとコイル導体間の浮遊容量とにより一つのトラップ回路を形成してなるフィルタ素子を配置し、これらのフィルタ素子どうしを一体形成してノイズフィルタを構成したものが提案されている（例えば、特許文献１参照）。
【０００９】
このノイズフィルタによれば、各フィルタ素子を構成するトラップ回路の共振周波数を複数の通信帯域に対応してそれぞれ設定することにより、各通信帯域におけるノイズを除去することが可能になる。
【００１０】
しかしながら、この特許文献１に記載されているノイズフィルタにおいては、高域側のみならず低域側の共振周波数もコイル導体間に生じる浮遊容量に依存しているため、各周波数帯域ごとに適切かつ十分なノイズ除去を行うこと必ずしも容易ではない。
【００１１】
すなわち、ＬＣ並列共振回路において、共振周波数はＬＣ積の値に依存し、ＬＣ積が大きいほど共振周波数は小さくなる。ここで、高域側の共振周波数の設定は、ＬＣ積が小さくてもよいので、浮遊容量を調整することで容易に実現することが可能であるが、低域側の共振周波数の設定は、ＬＣ積をある程度大きくすることが必要になる。この場合、インダクタンスＬの値を大きく設定し過ぎると信号波形が歪むなどの問題を生じるので、インダクタンスＬの値を大きく設定するとしてもその値には自ずと制限がある。したがって、インダクタンスＬの不足分を補うために、コイル導体の層間距離を短くしたり、あるいは絶縁材料を変更したりすることにより比較的大きな浮遊容量が得られるようにする必要がある。
【００１２】
しかしながら、上述のようにコイル導体の層間距離を短くすると、特性や信頼性が低下する。また、絶縁材料を変更する場合には、材料特性によってデラミネーションが発生したり、使用することが必要なシートの種類が増加したりするなど、製造工数が増加するという問題点がある。特に、この特許文献１の場合、誘電体と磁性体とを同時に焼成して一体化する必要があるため、製造工程で割れや剥がれなどが発生しやすく、強度面の信頼性が低いばかりでなく、最適製造条件を高い精度で設定管理する必要があるため、コストの増大を招くという問題点がある。
【００１３】
さらに従来技術では、単一の誘電体内に複数のコイル導体を螺旋状に積層してなるコイルを複数同時に形成して複数のトラップ回路を構成したものも提案されている。
【００１４】
しかしながら、この構成のノイズフィルタの場合も上記の特許文献１の場合と同様に、各トラップ回路を複数の通信帯域に対応して所望の共振周波数に設定することが困難であり、しかも、コイルどうしが互いに磁気結合しやすく、複数のトラップ回路が形成できない場合や、各トラップ回路の共振周波数において高減衰を得ることができない場合があり、周波数帯域ごとに適切かつ十分なノイズ除去を行うことができないという問題点がある。
【特許文献１】特開平５−２６７０５９号公報
【発明の開示】
【発明が解決しようとする課題】
【００１５】
本願発明は、上記課題を解決するためになされたものであり、複数の周波数帯域において共振周波数を容易かつ確実に設定するとともに、複数の周波数帯域ごとにノイズを効率よく除去することが可能で、コイルどうしの磁気結合を確実に防止して各共振周波数において高減衰を得ることが可能なノイズフィルタを用いたノイズフィルタアレイを提供することを課題とする。
【課題を解決するための手段】
【００１６】
上記課題を解決するために、本願発明（請求項１）のノイズフィルタアレイは、
回路基板上に形成された信号配線を流れるノイズを除去するためのノイズフィルタを有し、このノイズフィルタの複数個が前記各信号配線に個別に対応するようにアレイ状に配置されて一体化されているものであって、
前記各ノイズフィルタは、絶縁体の外部に前記信号配線に接続される一対の外部電極が形成される一方、前記絶縁体の内部には複数のコイルが直列接続されてその両端が外部電極にそれぞれ電気的に接続され、かつ、前記複数のコイルのうちの少なくとも一つのコイルにはコンデンサが並列に接続されており、
前記各コイルは、前記絶縁体を介して複数積層されたコイル導体をビアホールを介して螺旋状に接続することにより構成され、かつ、各コイルの共振点は互いに異なるように設定されており、また、前記コンデンサは、前後のコイル間にあって両コイルに電気的に共通接続されたシールド電極と前記両外部電極のうちの少なくとも一方側の外部電極に一端が電気的に接続されたキャパシタンス形成電極の他端とが前記絶縁体を介して対向配置されることにより構成され、さらに、前記キャパシタンス形成電極の前記外部電極接続側の端部は前記各コイルの外部電極接続側の端部と当該外部電極を介して互いに電気的に接続されることにより、各共振周波数が互いに異なる複数のＬＣ並列共振回路が構成されており、
かつ、前記各信号配線ごとに設けられている前記各コイルどうしの接続点が、ノイズ還流用コンデンサを介して非接地の状態で共通に接続されていること
を特徴としている。
【００１７】
また、本願発明（請求項２）のノイズフィルタアレイは、
回路基板上に形成された信号配線を流れるノイズを除去するためのノイズフィルタを有し、このノイズフィルタの複数個が前記各信号配線に個別に対応するようにアレイ状に配置されて一体化されているものであって、
前記各ノイズフィルタは、絶縁体の外部には前記信号配線に接続される一対の外部電極が形成される一方、前記絶縁体の内部には複数のコイルが直列接続されてその両端が外部電極にそれぞれ電気的に接続され、かつ、前記複数のコイルのうちの少なくとも一つのコイルにはコンデンサが並列に接続されており、前記各コイルは、前記絶縁体を介して複数積層されたコイル導体をビアホールを介して螺旋状に接続することにより構成され、かつ、各コイルの共振点は互いに異なるように設定されており、また、前記コンデンサは、前記コイル導体と前記両外部電極のうちの少なくとも一方側の外部電極に一端が電気的に接続されたキャパシタンス形成電極の他端とが前記絶縁体を介して対向配置されることにより構成され、さらに、前記キャパシタンス形成電極の前記外部電極接続側の端部は前記各コイルの外部電極接続側の端部と当該外部電極を介して互いに電気的に接続されることにより、各共振周波数が互いに異なる複数のＬＣ並列共振回路が構成されており、
かつ、前記各信号配線ごとに設けられている前記各コイルどうしの接続点が、ノイズ還流用コンデンサを介して非接地の状態で共通に接続されていること
を特徴としている。
【００１８】
また、請求項３のノイズフィルタアレイは、請求項２記載の発明の構成において、前後のコイル間にはコイル軸方向に直交してシールド電極が配設されていることを特徴としている。
【００１９】
また、請求項４のノイズフィルタアレイは、請求項１、３のいずれかに記載の発明の構成において、前記シールド電極が、少なくとも前後の各コイルの口径の面積の１／２以上を覆う面積を有するように設定されていることを特徴としている。
【００２０】
また、請求項５のノイズフィルタアレイは、請求項１〜３のいずれかに記載の発明の構成において、前記コイルと、このコイルに対して並列接続された前記コンデンサと、前記コイル形成に伴って生じる浮遊コンデンサとにより低域側のＬＣ並列共振回路が構成され、また、コイルと、このコイル形成に伴って生じる浮遊コンデンサとで高域側のＬＣ並列共振回路が構成されていることを特徴としている。
【発明の効果】
【００２１】
本発明のノイズフィルタアレイによれば、上述のように構成されたノイズフィルタを複数個、回路基板上に形成された複数の信号配線に個別に対応するように、アレイ状に配置して一体化しているので、一つの部品（ノイズフィルタアレイ）により、複数の信号配線のノイズをそれぞれ除去することができる。したがって、各信号配線ごとにノイズフィルタを個別に設ける必要がなく、従来に比べて部品点数を削減することが可能になるとともに、部品実装の効率化、回路基板上の実装面積の削減を図ることが可能になる。
【００２２】
また、本願発明のノイズフィルタアレイにおいては、各信号配線ごとに設けられている各コイルどうしの接続点が、ノイズ還流用コンデンサを介して非接地の状態で共通に接続されているので、ノイズ還流用コンデンサがない場合よりも高減衰が得られ、かつ、急峻なカットオフ特性をもつため、信号波形に及ぼす影響を小さく抑えることが可能になる。しかも、回路基板には接地用電極パターンを形成する必要がないため、回路基板の配線の自由度を向上させることが可能になるとともに、回路基板の内部に広面積の接地用電極パターンを不要にすることが可能になる。そのため、回路基板のコストダウンを図ることが可能になる。
【００２３】
なお、複数の信号配線どうしを容量結合させると、クロストークなどの問題が生じることが知られており、また、一般的に、信号周波数は数十ＭＨｚ以下であり、ノイズ周波数はＧＨｚ帯であることが知られている。したがって、本願発明においては、信号周波数にクロストークの影響が出ないように、ノイズ還流用コンデンサの値を設定すること（特に小容量で形成すること）が重要であり、ノイズ還流用コンデンサの値を適切な値に設定することにより、他の信号配線にノイズ電流のみを還流させることが可能になる。
【００２４】
なお、ノイズフィルタアレイを構成するノイズフィルタは、絶縁体内に複数のＬＣ並列共振回路が信号配線に対して順次直列に接続された状態で形成されることになるので、各ＬＣ並列共振回路の共振周波数が互いに異なるように設定することにより、複数の周波数帯域ごとにノイズを有効に除去することが可能になる。
【００２５】
また、コイルを積層型コイルとし、かつ、コンデンサを、前後のコイル間にあって両コイルに電気的に共通接続されたシールド電極と、両外部電極のうちの一方側の外部電極に電気的に接続されたキャパシタンス形成電極とを絶縁体を介して対向配置することにより構成し、さらに、キャパシタンス形成電極の外部電極接続側の端部は各コイルの外部電極接続側の端部と当該外部電極を介して互いに電気的に接続された構成としているので、前後のコイル間にシールド電極を介在させることができる。そして、これにより、比較的簡単な構成で、ＬＣ並列共振回路を構成するためのコイルとコンデンサとを形成することができるとともに、各コイル相互間が磁気結合しないようにすることができるので、コンデンサの容量を調整したり、コイル導体の巻数を変えたり、コイル導体間の距離を変えたりすることにより容易に所望の共振周波数を設定することができる。
【００２６】
また、コイルを積層型コイルとし、かつ、コンデンサを、コイル導体と、両外部電極のうちの一方側の外部電極に電気的に接続されたキャパシタンス形成電極とを絶縁体を介して対向配置することにより構成した場合にも、比較的簡単な構成で、複数のＬＣ並列共振回路を形成することができるとともに、キャパシタンス形成電極の外部電極接続側の端部は各コイルの外部電極接続側の端部と当該外部電極を介して互いに電気的に接続されているので、前後のコイル間にシールド電極を介在させることができ、これにより、コンデンサの容量を調整したり、コイル導体の巻数を変えたり、コイル導体間の距離を変えたりすることにより容易に所望の共振周波数を設定することができる。したがって、各周波数帯域ごとにノイズを有効に除去することが可能になる。
【図面の簡単な説明】
【００２７】
【図１】本願発明が関連する発明の実施例（実施例１）にかかるノイズフィルタアレイを回路基板に実装した状態を示す平面図である。
【図２】図１のＡ−Ａ線に沿う断面図である。
【図３】実施例１にかかるノイズフィルタアレイの等価回路図である。
【図４】実施例１にかかるノイズフィルタアレイの製造方法を示す分解斜視図である。
【図５】実施例１にかかるノイズフィルタアレイにおける挿入損失の周波数依存特性を示す特性図である。
【図６】本願発明が関連する発明の実施例（実施例２）にかかるノイズフィルタアレイの構成を示す断面図である。
【図７】本願発明が関連する発明の実施例（実施例３）にかかるノイズフィルタアレイの構成を示す断面図である。
【図８】本願発明の実施例（実施例４）にかかるノイズフィルタアレイの構成を示す断面図である。
【図９】本願発明の実施例（実施例４）にかかるノイズフィルタアレイの等価回路図である。
【図１０】本願発明の実施例（実施例４）にかかるノイズフィルタアレイの製造方法を示す分解斜視図である。
【図１１】本願発明の実施例（実施例４）にかかるノイズフィルタアレイの変形例を示す等価回路図である。
【図１２】本願発明の実施例（実施例４）にかかるノイズフィルタアレイの評価実験を行う場合の結線状態を示す等価回路である。
【図１３】本願発明の実施例（実施例４）にかかるノイズフィルタアレイにおける挿入損失の周波数依存特性を実施例１の場合と比較して示す特性図である。
【図１４】本願発明の実施例（実施例４）にかかるノイズフィルタアレイにおいて、ノイズ還流用コンデンサのキャパシタンスを変化させた場合の挿入損失の周波数依存特性を示す特性図である。
【図１５】本願発明の実施例（実施例４）にかかるノイズフィルタアレイにおいて、図９に示す構成の場合と図１１に示す構成の場合とでそれぞれ挿入損失の周波数依存特性を測定した結果を示す特性図である。
【図１６】本願発明が関連する発明の実施例（実施例５）にかかるノイズフィルタアレイの構成を示す断面図である。
【図１７】実施例５にかかるノイズフィルタアレイの等価回路図である。
【図１８】実施例５にかかるノイズフィルタアレイの製造方法を示す分解斜視図である。
【図１９】本願発明が関連する発明の実施例（実施例６）にかかるノイズフィルタアレイの構成を示す断面図である。
【図２０】本願発明が関連する発明の実施例（実施例７）にかかるノイズフィルタアレイの構成を示す断面図である。
【符号の説明】
【００２８】
１                回路基板
２                信号配線
２ａ，２ｂ        電極パターン
３                ノイズフィルタ
４，４ｂ          絶縁体
４ａ              絶縁体層
６，７            外部電極
８                前段のＬＣ並列共振回路
９                後段のＬＣ並列共振回路
１１              入力側コイル
１２              入力側コンデンサ
１２ａ            浮遊コンデンサ
１２ｂ            入力側コンデンサ
１３              出力側コイル
１４              出力側コンデンサ
１４ａ            浮遊コンデンサ
１６，１８        コイル導体
１７，１９，２０  ビアホール
２３              シールド電極
２４，２５        キャパシタンス形成電極
３１，３２        コイル形成用の絶縁性シート
３３，３４，３５  コンデンサ形成用の絶縁性シート
３６              ノイズ還流用電極
３７              終端抵抗
３８              ノイズ還流用コンデンサ
【発明を実施するための最良の形態】
【００２９】
以下、本願発明の実施例を示して、その特徴とするところをさらに詳しく説明する。
【実施例１】
【００３０】
図１は本願発明が関連する発明の実施例（実施例１）にかかるノイズフィルタアレイを回路基板に実装した状態を示す平面図、図２は図１のＡ−Ａ線に沿う断面図、図３はこのノイズフィルタアレイの等価回路図、図４はこのノイズフィルタアレイの製造方法を示す分解斜視図である。
【００３１】
このノイズフィルタアレイは、図１〜３に示すように、回路基板１上に形成された複数（４本）の信号配線２を流れるノイズを除去するためのもので、各々の信号配線２に対応して４つのノイズフィルタ３が一体化されて構成されている。
【００３２】
すなわち、このノイズフィルタアレイは、セラミックグリーンシートなどの絶縁性シートを積層し、一体焼成することにより形成された直方体状の絶縁体４を備えている。そして、この絶縁体４の両端側（左右外側部）には、各信号配線２に個別に対応してそれぞれ信号入出力用の外部電極６，７が形成されており、各外部電極６，７が、各信号配線２を構成する左右の電極パターン２ａ，２ｂにハンダなどにより電気的に接続されている。
【００３３】
また、絶縁体４内には、各々の信号配線２に対応して、前後に２段のＬＣ並列共振回路８，９が縦列接続された状態で形成されている。そして、この２段のＬＣ並列共振回路８，９により、各信号配線２に対するノイズフィルタ３が構成されている。
【００３４】
なお、後述するように、各ＬＣ並列共振回路８，９は、複数の周波数帯域でそれぞれノイズを有効に除去することができるように、各々の共振周波数が互いに異なるように設定されている。
【００３５】
ここに、前段のＬＣ並列共振回路８は、入力側コイル１１とこれに並列接続された入力側コンデンサ１２とを備えており、後段のＬＣ並列共振回路９は、出力側コイル１３とこれに並列接続された出力側コンデンサ１４とを備えている。以下、上記の上側の入力側コイル１１と、下側の出力側コイル１３を「前後のコイル１１，１３」ともいう。なお、この前後のコイル１１，１３は、請求項１，３，４および５における「前後のコイル」に相当するものである。
【００３６】
入力側コイル１１は、絶縁体４内において複数積層されたコイル導体１６をビアホール１７を介して順次接続することにより螺旋状のコイルとされている。同様に、出力側コイル１３は、絶縁体４内において複数積層されたコイル導体１８をビアホール１９を介して順次接続することにより螺旋状のコイルとされている。なお、このノイズフィルタアレイでは、各ＬＣ並列共振回路８，９の共振点が互いに異なるように、入力側コイル１１と出力側コイル１３の巻数を異ならせている。
【００３７】
そして、入力側コイル１１と出力側コイル１３の各一端側は、ビアホール２０を介して互いに直列に接続される一方、入力側コイル１１と出力側コイル１３の他端側はそれぞれ入力側と出力側の各外部電極６，７に接続されている。
【００３８】
また、前後のコイル（入力側コイル１１と出力側コイル１３）の間にはコイル軸方向に直交するようにシールド電極２３が配置されているとともに、このシールド電極２３に絶縁体４を介して、上下２つのキャパシタンス形成電極２４，２５が対向して形成されており、シールド電極２３と上側のキャパシタンス形成電極２４とにより入力側コンデンサ１２が構成され、また、シールド電極２３と下側のキャパシタンス形成電極２５とにより出力側コンデンサ１４が構成されている。
【００３９】
そして、上記のシールド電極２３は、上側の入力側コイル１１と、下側の出力側コイル１３の間を直列接続するビアホール２０に電気的に接続されているとともに、絶縁体４内に埋設された状態で、外部接続されないように構成されている。しかも、このシールド電極２３は、前後のコイル１１，１３の口径を覆う大きさの面積を有するように構成されている。
【００４０】
すなわち、シールド電極２３は、各コンデンサ１２，１４のキャパシタンス形成用の一方側の電極としての機能を果たすとともに、前後のコイル１１，１３相互間が磁気結合しないように電磁シールドする機能を果たすことができるように構成されている。
なお、前後のコイル１１，１３どうしの磁気結合を防止する上で、シールド電極２３の面積は少なくとも前後の各コイル１１，１３の口径の面積の１／２以上を覆う面積を有するように設定することが好ましい。
【００４１】
また、各キャパシタンス形成電極２４，２５は、その各一端部が絶縁体４の外側部にそれぞれ引き出されて各外部電極６，７に電気的に接続されている。そして、シールド電極２３とこれに対向配置された上下の各キャパシタンス形成電極２４，２５との対向面積や対向間距離を予め調整して、入力側コンデンサ１２と出力側コンデンサ１４のキャパシタンスを変化させることにより、除去したい周波数のノイズを十分に除去することができるように、各ＬＣ並列共振回路８，９の共振点を調整する。なお、各コイル１１，１３自体のインダクタンスを調整することにより共振点を調整することも可能である。
【００４２】
次に、このノイズフィルタアレイの製造方法について説明する。
このノイズフィルタアレイを製作するには、例えば、図４に示すように、入力側コイル形成用の絶縁性シート３１、出力側コイル形成用の絶縁性シート３２、コンデンサ形成用の絶縁性シート３３，３４，３５、およびこれらの各絶縁性シート３１，３２，３３〜３５の間に必要に応じて介在させる相互間接続用の絶縁性シート（図示せず）をそれぞれ所定枚数分だけ準備する。なお、これらの各絶縁性シートとしては、誘電体であるセラミックグリーンシートなどが使用される。
【００４３】
そして、コイル形成用の各絶縁性シート３１，３２には、４つの信号配線２に対応させてそれぞれ各コイル１１，１３を形成するために、４つのコイル導体１６，１８がそれぞれ形成されている。また、各コイル導体１６，１８は、絶縁性シート３１，３２の積層方向に対して螺旋状になるように絶縁性シート３１，３２ごとに形状を変えて形成されている。また、各コイル導体１６，１８は、信号の流れる方向に対して同じ巻回方向とされている。
【００４４】
一方、コンデンサ形成用の絶縁性シート３３，３４，３５のうち、上下の絶縁性シート３３，３５には、キャパシタンス形成電極２４，２５がそれぞれ形成され、その中間の絶縁性シート３４にはシールド電極２３が形成されている。そして、シールド電極２３およびキャパシタンス形成電極２４，２５は、４つの信号配線２にそれぞれ対応させるため４つ並列に形成されている。さらに、これらの絶縁性シート３１〜３５のうち、所定の絶縁性シートには上下のシート間を電気的に接続することができるようにビアホール２０などが形成されている
なお、上記のコイル導体１６，１８やシールド電極２３、キャパシタンス形成電極２４，２５には、例えばＡｇ−Ｐｄ、Ａｇなどの材料が使用される。
【００４５】
そして、出力側コイル形成用の絶縁性シート３２、コンデンサ形成用の絶縁性シート３３〜３５、および入力側コイル形成用の絶縁性シート３１を所定枚数分積層し、さらに、必要に応じて各絶縁性シート３１〜３５の間に相互間接続用の絶縁性シート（図示せず）を介在させた後、これらの各絶縁性シートの積層体を一体焼成する。その後、得られた絶縁体４の両端部（左右の外側部）に、各信号配線２に対応して外部電極６，７を形成する。
【００４６】
これにより、図２に示すような構成、および図３に示すような等価回路を有するノイズフィルタアレイが得られる。なお、このノイズフィルタアレイにおいては、各コイル導体１６，１８が、ビアホール１７，１９，２０を介して順次接続され、螺旋状の入力側コイル１１と出力側コイル１３が形成され、かつ、各コイル１１，１３は、その一端側が外部電極６，７に接続され、他端側はビアホール２０を介して互いに直列接続されるとともに、シールド電極２３にも共通に接続されている。また、シールド電極２３には絶縁体４（絶縁体層４ａ）を介してキャパシタンス形成電極２４，２５が対向し、かつ、各キャパシタンス形成電極２４，２５のそれぞれの一端が外部電極６，７に接続されることにより、入力側コンデンサ１２および出力側コンデンサ１４が形成されており、これによって入力側コンデンサ１２および出力側コンデンサ１４が、それぞれ入力側コイル１１および出力側コイル１３に対して並列に接続された構成が実現されている。
【００４７】
このノイズフィルタアレイを使用する場合に、複数の周波数帯域においてそれぞれノイズを有効に除去することができるように、前後のＬＣ並列共振回路８，９の共振点を、各周波数帯域に含まれるノイズを除去したい共振周波数に予め設定しておくことにより、例えば携帯電話のノイズ対策として必要な、８００ＭＨｚ付近と、２ＧＨｚ付近の２つの通信帯域におけるノイズを有効に除去することができる。
【００４８】
しかも、入力側コイル１１と出力側コイル１３の間にシールド電極２３が介在しているので、前後のコイル１１，１３どうしの磁気結合が確実に遮断される。したがって、各々のＬＣ並列共振回路８，９の共振周波数が変動することはなく、複数の周波数帯でそれぞれトラップの減衰量を大きくすることができる。例えば、高周波側の共振周波数について２０ｄＢ以上の高い減衰を確保することができる。
【００４９】
さらに、このノイズフィルタアレイは、一つの部品内に複数のノイズフィルタ３が一体的に形成されており、各信号配線２のノイズをともに除去することができるため、信号配線２ごとに個別にノイズフィルタを設ける必要がなく、部品点数を削減することができる。さらに、複数のＬＣ並列共振回路８，９が単一の絶縁体４内に形成されるため、その製造に際して割れや剥がれなどが発生するおそれが少なく、構造欠陥のない、信頼性の高いノイズフィルタアレイを提供することができる。
【００５０】
上記のノイズフィルタアレイについて、そのフィルタ特性を調べるために、以下の評価実験を行った。
【００５１】
［評価実験］
ノイズフィルタアレイを構成する一つのノイズフィルタ３について、その挿入損失（ＩＬ）の周波数依存特性（以下、ＩＬ特性という）を調べた。なお、ここでは、前段のＬＣ並列共振回路８の入力側コイル１１のインダクタンスＬ１は２５ｎＨ、入力側コンデンサ１２のキャパシタンスＣ１は１．２ｐＦ、後段のＬＣ並列共振回路９の出力側コイル１３のインダクタンスＬ２は１８ｎＨ、出力側コンデンサ１４のキャパシタンスＣ２は０．４ｐＦに設定した。その結果を図５に示す。
【００５２】
図５に示すように、ノイズフィルタ３は、携帯電話のノイズ対策として必要な、８００ＭＨｚ付近と、２ＧＨｚ付近の２つの通信帯域において共振周波数をもち、各々の通信帯域に含まれるノイズを有効に除去することができるものであることが確認された。
【実施例２】
【００５３】
図６は本願発明が関連する発明の実施例（実施例２）にかかるノイズフィルタアレイの断面図である。なお、図６において、図１〜４と同一符号を付した部分は、上述の本願発明が関連する発明の実施例（実施例１）のノイズフィルタアレイと同一または相当する部分を示している。
【００５４】
このノイズフィルタアレイは、図３に示した等価回路と同じ等価回路を有している。
ただし、このノイズフィルタアレイでは、入力側コンデンサ１２と出力側コンデンサ１４は、入力側コイル１１と出力側コイル１３を形成する各コイル導体１６，１８の一部に対して絶縁体４（絶縁体層４ａ）を介してキャパシタンス形成電極２４，２５をそれぞれ対向配置することにより構成されている。
【００５５】
すなわち、入力側コイル１１を形成するコイル導体１６の出力側の一部に対して絶縁体４（絶縁体層４ａ）を介してキャパシタンス形成電極２４を対向配置することにより入力側コンデンサ１２が構成され、また、出力側コイル１３を形成するコイル導体１８の入力側の一部に対して絶縁体４（絶縁体層４ａ）を介してキャパシタンス形成電極２５を対向配置することにより出力側コンデンサ１４が構成されている。そして、各キャパシタンス形成電極２４，２５の一端は絶縁体４の両外側部にそれぞれ引き出され、外部電極６，７に電気的に接続されている。これにより、入力側コイル１１と出力側コイル１３に対して、入力側コンデンサ１２と出力側コンデンサ１４が並列接続された２つのＬＣ並列共振回路８，９が構成されている。
【００５６】
そして、このノイズフィルタアレイにおいては、各コイル導体１６，１８に対してキャパシタンス形成電極２４，２５の対向面積や対向間距離などを調整して、入力側コンデンサ１２と出力側コンデンサ１４のキャパシタンスを変化させることにより、ノイズを除去したい共振周波数に各ＬＣ並列共振回路８，９の共振点を調整することが行われる。なお、入力側コイル１１と出力側コイル１３のインダクタンスを調整することによっても共振点を調整することが可能である。
【００５７】
また、上述の本願発明が関連する発明の実施例（実施例１）の場合と同様に、上側の入力側コイル１１と下側の出力側コイル１３の間にシールド電極２３が設けられており、上側の入力側コイル１１と下側の出力側コイル１３の間を直列接続するビアホール２０に電気的に接続されている。
【００５８】
このように上側の入力側コイル１１と下側の出力側コイル１３（上下のコイル１１，１３）間にシールド電極２３を設けた場合には、部品サイズが小さく、コイル１１，１３間が比較的近接している場合にも、上下のコイル１１，１３相互間の磁気結合が防止されるため、高い減衰を確保することが可能になる。しかし、部品サイズによっては上下のコイル１１，１３間の距離を十分に確保することが可能な場合があり、そのような場合には、上下のコイル１１，１３間の磁気結合が極めて小さくなるためシールド電極２３を省略することも可能である。
【００５９】
また、シールド電極２３は、上下のコイル１１，１３間を直列接続するビアホール２０と電気的に接続されているが、上下のコイル１１，１３の磁気結合を防止する上では、シールド電極２３はビアホール２０から電気的に分離された状態であってもよい。
その他の構成、および作用効果は、上述の本願発明が関連する発明の実施例（実施例１）の場合と同様であることから、ここでは重複を避けるため、詳しい説明は省略する。
【実施例３】
【００６０】
図７は本願発明が関連する発明の実施例（実施例３）にかかるノイズフィルタアレイの断面図である。なお、図７において、図１〜４と同一符号を付した部分は、上述の本願発明が関連する発明の実施例（実施例１）のノイズフィルタアレイと同一または相当する部分を示している。
【００６１】
このノイズフィルタアレイは、図３に示した等価回路と同じ等価回路を有している。
ただし、このノイズフィルタアレイでは、入力側コンデンサ１２と出力側コンデンサ１４は、各信号配線２に対応して絶縁体４の両端側（左右外側部）にそれぞれ形成された信号入出力用の各外部電極６，７と、前後のコイル１１，１３間にあってコイル軸方向に直交し、かつ、前後のコイル１１，１３にビアホール２０により電気的に共通接続されたシールド電極２３とから構成されている。
【００６２】
すなわち、入力側の外部電極６とこれに絶縁体４（４ｂ）を介して対向するシールド電極２３とにより入力側コンデンサ１２が構成され、また、出力側の外部電極７とこれに絶縁体４（４ｂ）を介して対向するシールド電極２３とにより出力側コンデンサ１４が構成されている。これにより、各コイル１１，１３に対してコンデンサ１２，１４が並列接続され、各ＬＣ並列共振回路８，９が構成されている。
【００６３】
そして、このノイズフィルタアレイにおいては、各外部電極６，７とシールド電極２３との対向間距離などを調整して、入力側コンデンサ１２と出力側コンデンサ１４のキャパシタンスを変化させることにより、ノイズを除去したい共振周波数に各ＬＣ並列共振回路８，９の共振点を調整することが行われる。なお、入力側コイル１１と出力側コイル１３のインダクタンスを調整することによっても共振点を調整することが可能である。
その他の構成、および作用効果は、上述の本願発明が関連する発明の実施例（実施例１）の場合と同様であることから、ここでは重複を避けるため、詳しい説明は省略する。
【実施例４】
【００６４】
図８は本願発明の実施例（実施例４）にかかるノイズフィルタアレイの断面図、図９はその等価回路図、図１０はその製造方法を示す分解斜視図である。
なお、図８〜１０において、図１〜４と同一符号を付した部分は、上述の本願発明が関連する発明の実施例（実施例１）のノイズフィルタアレイと同一または相当する部分を示している。
【００６５】
この本願発明の実施例（実施例４）におけるノイズフィルタアレイは、図１〜４に示した上述の本願発明が関連する発明の実施例（実施例１）の構成を備えているとともに、さらに、各信号配線２ごとに設けられているノイズフィルタ３を構成する、前後のＬＣ並列共振回路８，９の各コイル１１，１３どうしの接続点が、ノイズ還流用コンデンサ３８を介して非接地の状態で共通に接続された構成を備えている。
【００６６】
すなわち、このノイズフィルタアレイは、絶縁体４内に設けられているシールド電極２３に対向してキャパシタンス形成電極２４，２５が対向配置されることにより入力側コンデンサ１２と出力側コンデンサ１４が形成されているとともに、さらにシールド電極２３に対向して上下にそれぞれノイズ還流用電極３６が絶縁体４（絶縁体層４ａ）を介して配置されており、シールド電極２３とノイズ還流用電極３６とによりノイズ還流用コンデンサ３８が形成されている。
【００６７】
そして、この本願発明の実施例（実施例４）のノイズフィルタアレイにおいては、シールド電極２３およびキャパシタンス形成電極２４，２５は、各信号配線２ごとに当該信号配線２に沿って形成されているが、上下の各ノイズ還流用電極３６は、各信号配線２と直交する方向（図８の紙面に垂直な方向）に沿って各電極２３，２４，２５を横切るように連続して形成されている。しかも、このノイズ還流用電極３６は、絶縁体４内に埋設されていて外部接続されないように構成されている。すなわち、このノイズ還流用電極３６は、ノイズ還流用コンデンサ３８の一方のキャパシタンス形成用の電極として機能するとともに、ノイズ還流用コンデンサ３８の相互間を非接地の状態で共通に接続する電極としても機能するように構成されている。
【００６８】
次に、この本願発明の実施例（実施例４）におけるノイズフィルタアレイの製造方法を、図１０を参照して説明する。
このノイズフィルタアレイの製造方法は、基本的には上述の本願発明が関連する発明の実施例（実施例１）の場合と同様であるが、４つの信号配線２ごとに前後のＬＣ並列共振回路８，９を形成する際に、同時にノイズ還流用コンデンサ３８を形成する必要があるため、各キャパシタンス形成電極２４，２５が形成されている絶縁性シート３３，３５には、ノイズ還流用電極３６も同時に形成する。なお、ここでは、各ノイズ還流用電極３６は、キャパシタンス形成電極２４，２５をそれぞれ横切る方向（絶縁性シート３３，３５の長手方向に沿う方向）に延設されている。
【００６９】
そして、出力側コイル形成用の絶縁性シート３２、コンデンサ形成用の絶縁性シート３３〜３５、および入力側コイル形成用の絶縁性シート３１を所定枚数分積層し、さらに、必要に応じて各絶縁性シート３１〜３５の間に相互間接続用の絶縁性シート（図示せず）を介在させた後、これらの各絶縁性シートの積層体を一体焼成する。その後、得られた絶縁体４の両端部（左右の外側部）に、各信号配線２に対応する信号入出力用の外部電極６，７を形成する。
【００７０】
これにより、図８に示すように、各信号配線２ごとに絶縁体４内に前後２段のＬＣ並列共振回路８，９が形成され、ＬＣ並列共振回路８，９の各コイル１１，１３どうしの接続点が、ノイズ還流用コンデンサ３８を介して非接地の状態で共通に接続された構成を有し、かつ、図９に示すような等価回路を有する本願発明の実施例（実施例４）のノイズフィルタアレイが得られる。
【００７１】
この構成のノイズフィルタアレイにおいては、一つの信号配線２に流れるノイズ電流は、各信号配線２のＬＣ並列共振回路８，９の損失によってノイズが低減され、さらにノイズ還流用コンデンサ３８を介して他の信号配線２に分散されるように還流される。したがって、このノイズフィルタアレイを使用するときには、上述の本願発明が関連する発明の実施例（実施例１）に比べて各周波数帯域においてノイズを一層有効に除去することができる。また、急峻なカットオフ特性をもつため、信号波形に及ぼす影響を小さく抑えることができる。
【００７２】
しかも、従来では必要とされた接地用電極パターンが不要になるため、回路基板１（図１）の配線の自由度を向上させることが可能になり、簡単な構成の回路基板１を使用することが可能になるため、回路基板１のコストダウンを図ることが可能になる。
その他の構成、および作用効果は、上述の本願発明が関連する発明の実施例（実施例１）の場合と同様であることから、ここでは重複を避けるため、詳しい説明は省略する。
【００７３】
上記の本願発明の実施例（実施例４）のノイズフィルタアレイについて、そのフィルタ特性を調べるために、以下の評価実験を行った。
【００７４】
［評価実験１］
本願発明の実施例（実施例４）の構成を備えたノイズフィルタアレイについてＩＬ特性を調べた。ここでは、クロストークの影響によりＩＬ特性に差が生じることを防止するため、図１２の等価回路で示すように、４つのノイズフィルタ３のうち、３つのノイズフィルタについて、その左右端に５０Ωの終端抵抗３７を接続して測定を行った。その際、特性を比較するために、本願発明が関連する発明の実施例（実施例１）の構成のように各ノイズ還流用コンデンサ３８を設けないものについてもＩＬ特性を調べた。なお、ここでは前段のＬＣ並列共振回路８の入力側コイル１１のインダクタンスは２０ｎＨ、入力側コンデンサ１２のキャパシタンスは１．７ｐＦに、また、後段のＬＣ並列共振回路９の出力側コイル１３のインダクタンスは１３ｎＨ、出力側コンデンサ１４のキャパシタンスは０．４ｐＦに統一して測定を行った。その結果を図１３に示す。
【００７５】
図１３に示すように、ノイズ還流用コンデンサ３８を設けた場合には、ノイズ還流用コンデンサ３８を設けないものに比べて、携帯電話のノイズ対策として必要な、８００ＭＨｚ付近と、２ＧＨｚ付近の２つの通信帯域、および両帯域の間において大きな信号減衰量が得られており、各々の通信帯域に含まれるノイズを有効に除去できることが確認された。
【００７６】
［評価実験２］
本願発明の実施例（実施例４）の構成を備えたノイズフィルタアレイにおいて、ノイズ還流用コンデンサ３８のキャパシタンスの影響を調べるために、ノイズ還流用コンデンサ３８のキャパシタンスを０ｐＦ〜１５ｐＦの範囲内で変化させた場合におけるＩＬ特性を測定した。なお、この場合も図１２の等価回路に示す構成となるように結線して測定を行った。その結果を図１４に示す。
【００７７】
図１４に示すように、ノイズ還流用コンデンサ３８のキャパシタンスが大きくなる程、大きな信号減衰量が得られることが確認された。ただし、キャパシタンスが大きくなりすぎると、信号周波数帯域でクロストークが発生して信号波形への影響が大きくなるので、ノイズ還流用コンデンサ３８のキャパシタンスは４ｐＦ〜１０ｐＦ程度とすることが適切であると考えられる。
【００７８】
［評価実験３］
前後のＬＣ並列共振回路８，９の、各コイル１１，１３どうしの接続点を、ノイズ還流用コンデンサ３８を介して非接地の状態で共通に接続した場合（図９）と、後段のＬＣ並列共振回路９の出力側にノイズ還流用コンデンサ３８を非接地の状態で共通に接続した場合（図１１）について、それぞれＩＬ特性を測定した。この場合の測定条件は、評価実験１の場合と同じとした。その結果を図１５に示す。なお、図１５には、ノイズ還流用コンデンサ３８を設けない場合のＩＬ特性も併せて示している。
【００７９】
図１５に示すように、図９に示す構成と、図１１に示す構成のいずれの場合においても、携帯電話のノイズ対策として必要な、８００ＭＨｚ付近と、２ＧＨｚ付近の２つの通信帯域において、ノイズ還流用コンデンサ３８を設けない場合に比べて大きな信号減衰量が得られており、各々の通信帯域に含まれるノイズを有効に除去することができることが確認された。
【００８０】
ところで、上記の実施例１〜４においては、各コイル１１，１３に対して個別にコンデンサ１２，１４を並列に接続して共振周波数が互いに異なる複数のＬＣ並列共振回路８，９を構成しているので、コイル１１，１３のインダクタンスとコンデンサ１２，１４のキャパシタンスの調整が容易で、各々のＬＣ並列共振回路８，９の共振周波数をノイズ除去に必要な所望の周波数に確実に設定、制御することができる。このため、各周波数帯域ごとに十分なノイズ除去を行うことができる。
【００８１】
一方、以下に説明する本願発明が関連する発明の実施例（実施例５〜７）の構成によっても所要の目的を達成することが可能である。
すなわち、前述したように、ＬＣ並列共振回路において、共振周波数はＬＣ積の値に依存し、ＬＣ積が大きいほど共振周波数は小さくなって低域側になる。また、同じＬＣ積の値の場合にはインダクタンスＬが大きいほど減衰量は大きくなり、キャパシタンスＣの割合が大きいほど減衰帯域が狭くなる。ここで、高域側の共振周波数の設定は、ＬＣ積が小さくてもよいので、浮遊キャパシタンスを調整することで容易に実現することが可能である。しかも、浮遊キャパシタンスが小さくて済むので減衰帯域を広くとることができる。一方、低域側の共振周波数の設定は、ＬＣ積をある程度大きくしなければならない。この場合、インダクタンスＬの値を大きく設定し過ぎると信号波形が歪むなどの問題を生じるので、インダクタンスＬの値を大きくするには自ずと限界がある。また、インダクタンスＬの制限をカバーするために、浮遊キャパシタンスを大きく設定しようとしてコイル導体の層間距離を縮めたり、絶縁材料を変更すると、特性が劣化して信頼性を損なったり、製造上の工数が増えてコストアップを招いたりするというような問題点を生じる。
【００８２】
そこで、以下の本願発明が関連する発明の実施例（実施例５〜７）においては、低域側のノイズに対しては、コイルとこれに並列接続されたコンデンサとの組み合わせによってある程度大きなＬＣ積が得られるＬＣ並列共振回路を構成し、また、高域側のノイズに対しては、コイルと、このコイル形成用のコイル導体（コイル導体層）間で生じる浮遊コンデンサとにより所要のＬＣ積を有するＬＣ並列共振回路を構成することによって、上述の実施例１〜４よりも簡単な構成で、各周波数帯域ごとに所要のノイズ除去作用を確保できるようにしている。以下、本願発明が関連する発明の実施例（実施例５〜７）を示して、その内容について説明する。
【実施例５】
【００８３】
図１６は、本願発明が関連する発明の実施例（実施例５）にかかるノイズフィルタアレイの構成を示す断面図、図１７は実施例５にかかるノイズフィルタアレイの等価回路図、図１８は実施例５にかかるノイズフィルタアレイの製造方法を示す分解斜視図である。なお、図１６〜１８において、図１〜４と同一符号を付した部分は、本願発明が関連する発明の実施例（実施例１）のノイズフィルタアレイと同一または相当する部分を示している。
【００８４】
このノイズフィルタアレイにおいて、入力側コンデンサ１２ｂは、シールド電極２３の一部に対して絶縁体４（絶縁体層４ａ）を介してキャパシタンス形成電極２４を対向配置することにより構成されている。
【００８５】
すなわち、前後のコイル１１，１３の間においてコイル軸方向に直交するように配置されたシールド電極２３の一部に対して絶縁体４（絶縁体層４ａ）を介してキャパシタンス形成電極２４を対向配置することにより入力側コンデンサ１２ｂが構成されている。そして、キャパシタンス形成電極２４の一端は絶縁体４の一端側（左外側部）に引き出されて外部電極６に電気的に接続されている。これにより、入力側コイル１１に対して、このコイル１１の形成に伴ってコイル導体（コイル導体層）１６間で必然的に発生する浮遊コンデンサ１２ａ（図１７）と、キャパシタンス形成電極２４により発生する入力側コンデンサ１２ｂとがともに並列接続されることにより、低域側のＬＣ並列共振回路８が構成されている。また、出力側コイル１３と、このコイル１３の形成に伴ってコイル導体（コイル導体層）１８間で必然的に発生する浮遊コンデンサ１４ａ（図１７）とで高域側のＬＣ並列共振回路９が構成されている。
【００８６】
そして、このノイズフィルタアレイにおいては、各コイル導体１６に対してキャパシタンス形成電極２４の対向面積や対向間距離などを調整して、入力側コンデンサ１２ｂのキャパシタンスを変化させることにより、ノイズを除去したい共振周波数に低域側のＬＣ並列共振回路８の共振点を調整することが行われる。なお、入力側コイル１１と出力側コイル１３のインダクタンスを調整したり、浮遊コンデンサ１２ａ，１４ａのキャパシタンスを調整したりすることによっても各ＬＣ並列共振回路８，９の共振点を調整することが可能である。
【００８７】
また、上側の入力側コイル１１と下側の出力側コイル１３の間にシールド電極２３が設けられており、上側の入力側コイル１１と下側の出力側コイル１３の間を直列接続するビアホール２０に電気的に接続されている。
【００８８】
このように、各ノイズフィルタ３は、前段側のＬＣ並列共振回路８が、入力側コイル１１、浮遊コンデンサ１２ａ、および入力側コンデンサ１２ｂの組み合わせによって所要のＬＣ積を有するように構成されているので、低域側のノイズを有効に除去することができる。すなわち、入力側コイル１１と入力側コンデンサ１２ｂとでＬＣ積をある程度大きく設定することができるため、インダクタンスＬの値を大きく設定し過ぎて信号波形が歪んだり、浮遊キャパシタンスを大きく設定するために特性劣化や製造上の工数が増えてコストの増大を招いたりするという問題が発生することを回避しつつ、低域側のノイズを確実に除去することができる。
【００８９】
また、後段側のＬＣ並列共振回路９は、コイル１３と、このコイル１３の形成に伴って必然的に発生する浮遊コンデンサ１４ａとにより構成されているので、高域側のノイズを有効に除去することができる。すなわち、高域側の共振周波数の設定は、ＬＣ積が小さくてもよいので、浮遊コンデンサ１４ａのキャパシタンスを調整することで容易に実現することが可能である。しかも、浮遊キャパシタンスの割合は小さくてもよいため、高域側のノイズの減衰帯域を狭めることがなく、好都合である。例えば、携帯電話の通信帯域は、低域側が８７５〜８８５ＭＨｚ、高域側が２１１０〜２１７０ＭＨｚで、高周波の方の通信帯域が広くなっており、この実施例５の構成によれば、高域側のノイズを有効に除去することができる。
【００９０】
したがって、この実施例５では、各ノイズフィルタ３が実施例１〜４よりも簡単な構成であるにもかかわらず、各周波数帯域ごとに所要のノイズ除去作用を確保することができる。
その他の構成、および作用効果は、本願発明が関連する発明の実施例（実施例１）の場合と同様であることから、ここでは重複を避けるため、詳しい説明は省略する。
【００９１】
次に、この本願発明が関連する発明の実施例（実施例５）のノイズフィルタアレイの製造方法について説明する。なお、この製造方法は実施例１の場合と基本的に同じであるため、簡単にその内容について説明する。
例えば、図１８に示すように、入力側コイル形成用の絶縁性シート３１、出力側コイル形成用の絶縁性シート３２、コンデンサ形成用の絶縁性シート３３，３４、およびこれらの各絶縁性シート３１，３２，３３，３４の間に必要に応じて介在させる相互間接続用の絶縁性シート（図示せず）をそれぞれ所定枚数分だけ準備する。
【００９２】
この場合、コイル形成用の各絶縁性シート３１，３２には、４つの信号配線２に対応させてそれぞれ各コイル１１，１３を形成するために、４つのコイル導体１６，１８がそれぞれ形成されている。また、コンデンサ形成用の絶縁性シート３３，３４のうち、上側の絶縁性シート３３には、キャパシタンス形成電極２４が形成され、下側の絶縁性シート３４にはシールド電極２３が形成されている。そして、シールド電極２３およびキャパシタンス形成電極２４は、４つの信号配線２にそれぞれ対応させるため４つ並列に形成されている。さらに、これらの絶縁性シート３１〜３４のうち、所定の絶縁性シートには上下のシート間を電気的に接続することができるようにビアホール２０などが形成されている
【００９３】
そして、出力側コイル形成用の絶縁性シート３２、コンデンサ形成用の絶縁性シート３３，３４、および入力側コイル形成用の絶縁性シート３１を所定枚数分積層し、さらに、必要に応じて各絶縁性シート３１〜３４の間に相互間接続用の絶縁性シート（図示せず）を介在させた後、これらの各絶縁性シートの積層体を一体焼成する。
その後、得られた絶縁体４の両端部（左右の外側部）に、各信号配線２に対応して外部電極６，７を形成する。これにより、図１６に示すような構成、および図１７に示すような等価回路を有するノイズフィルタアレイが得られる。
【実施例６】
【００９４】
図１９は本願発明が関連する発明の実施例（実施例６）にかかるノイズフィルタアレイの断面図である。なお、図１９において、図１〜４と同一符号を付した部分は、本願発明が関連する発明の実施例（実施例１）のノイズフィルタアレイと同一または相当する部分を示している。
【００９５】
このノイズフィルタアレイは、図１７に示した等価回路と同じ等価回路を有している。
ただし、この実施例６のノイズフィルタアレイでは、入力側コンデンサ１２ｂは、入力側コイル１１を形成するコイル導体１６の一部に対して絶縁体４（絶縁体層４ａ）を介してキャパシタンス形成電極２４を対向配置することにより構成されている。
【００９６】
すなわち、入力側コイル１１を形成するコイル導体１６の出力側の一部に対して絶縁体４（絶縁体層４ａ）を介してキャパシタンス形成電極２４を対向配置することにより入力側コンデンサ１２ｂが構成されている。そして、キャパシタンス形成電極２４の一端は絶縁体４の一端側（左外側部）に引き出されて外部電極６に電気的に接続されている。
【００９７】
このように、入力側コイル１１に対して、このコイル１１の形成に伴ってコイル導体（コイル導体層）１６間で必然的に発生する浮遊コンデンサ１２ａ（図１７参照）と、キャパシタンス形成電極２４により発生する入力側コンデンサ１２ｂとがともに並列接続されることにより、低域側のＬＣ並列共振回路８が構成されている。また、出力側コイル１３と、このコイル１３の形成に伴ってコイル導体（コイル導体層）１８間で必然的に発生する浮遊コンデンサ１４ａ（図１７参照）とにより高域側のＬＣ並列共振回路９が構成されている。
【００９８】
そして、このノイズフィルタアレイにおいては、各コイル導体１６に対してキャパシタンス形成電極２４の対向面積や対向間距離などを調整して、入力側コンデンサ１２ｂのキャパシタンスを変化させることにより、ノイズを除去したい低域側の共振周波数にＬＣ並列共振回路８の共振点を調整することが行われる。なお、入力側コイル１１と出力側コイル１３のインダクタンスを調整したり、浮遊コンデンサ１２ａ，１４ａのキャパシタンスを調整したりすることによっても、各ＬＣ並列共振回路８，９の共振点を調整することが可能である。
【００９９】
また、この実施例６では、本願発明が関連する発明の実施例（実施例５）の場合と同様に、上側の入力側コイル１１と下側の出力側コイル１３の間にシールド電極２３が設けられており、上側の入力側コイル１１と下側の出力側コイル１３の間を直列接続するビアホール２０に電気的に接続されている。
その他の構成、および作用効果は、実施例５の場合と同様であることから、ここでは重複を避けるため、詳しい説明は省略する。
【実施例７】
【０１００】
図２０は本願発明が関連する発明の実施例（実施例７）にかかるノイズフィルタアレイの断面図である。なお、図２０において、図１〜４と同一符号を付した部分は、本願発明が関連する発明の実施例（実施例１）のノイズフィルタアレイと同一または相当する部分を示している。
【０１０１】
このノイズフィルタアレイは、図１７に示した等価回路と同じ等価回路を有している。
ただし、このノイズフィルタアレイでは、入力側コンデンサ１２ｂは、各信号配線２に対応して絶縁体４の一端側（左外側部）に形成された信号入出力用の外部電極６と、前後のコイル１１，１３間にあってコイル軸方向に直交し、かつ、コイル１１，１３にビアホール２０を介して電気的に共通接続されたシールド電極２３とから構成されている。
【０１０２】
すなわち、入力側の外部電極６とこれに絶縁体４（４ｂ）を介して対向するシールド電極２３とにより入力側コンデンサ１２ｂが構成されている。これにより、入力側コイル１１に対して、このコイル１１の形成に伴ってコイル導体（コイル導体層）１６層間で必然的に発生する浮遊コンデンサ１２ａ（図１７参照）と、シールド電極２３により発生する入力側コンデンサ１２ｂとが並列接続されて低域側のＬＣ並列共振回路８が構成されている。また、出力側コイル１３と、このコイル１３の形成に伴ってコイル導体（コイル導体層）１８間で必然的に発生する浮遊コンデンサ１４ａ（図１７参照）とで高域側のＬＣ並列共振回路９が構成されている。
【０１０３】
そして、このノイズフィルタアレイにおいては、各外部電極６とシールド電極２３との対向間距離などを調整して、入力側コンデンサ１２ｂのキャパシタンスを変化させることにより、ノイズを除去したい低域側の共振周波数にＬＣ並列共振回路８の共振点を調整することが行われる。なお、入力側コイル１１と出力側コイル１３のインダクタンスを調整したり、浮遊コンデンサ１２ａ，１４ａのキャパシタンスを調整したりすることによっても、各ＬＣ並列共振回路８，９の共振点を調整することが可能である。
その他の構成、および作用効果は、実施例５の場合と同様であることから、ここでは重複を避けるため、詳しい説明は省略する。
【０１０４】
なお、上記の各実施例では、各々の各信号配線２に対して前後２段にわたってＬＣ並列共振回路８，９を設けた場合について説明したが、本願発明はこれに限らず、各信号配線２に対して３段以上にわたってＬＣ並列共振回路を縦列接続した構成とすることも可能である。その場合、各ＬＣ並列共振回路ごとに、適切な共振周波数となるようにインダクタンスＬとキャパシタンスＣとを適宜設定することにより、さらに広帯域のノイズ除去特性を得ることが可能になる。
【０１０５】
また、上記の各実施例では、回路基板１上に形成された４本の信号配線２に対応して４つのノイズフィルタ３を組み合わせて一体化したノイズフィルタアレイについて説明したが、各ノイズフィルタ３の数に特に制約はなく、単一のノイズフィルタ３を備えた構成の場合でも本願発明を適用することが可能である。また、実施例４でも、４本の信号配線２に対応して４つのノイズフィルタ３を組み合わせて一体化したノイズフィルタアレイについて説明したが、この場合も信号配線２の数や、ノイズフィルタ３の数に特別の制約はない。
【０１０６】
本願発明は、さらにその他の点においても上記実施例に限定されるものではなく、発明の範囲内において、種々の応用、変形を加えることが可能である。
【産業上の利用可能性】
【０１０７】
本願発明によれば、複数の周波数帯域において共振周波数を容易かつ確実に設定するとともに、複数の周波数帯域ごとにノイズを効率よく除去することが可能で、コイルどうしの磁気結合を確実に防止して各共振周波数において高減衰を得ることが可能なノイズフィルタを用いたノイズフィルタアレイを提供することが可能になる。
そして、本願発明のノイズフィルタアレイは、携帯電話のノイズ除去などの用途に好適に用いることが可能であり、さらに他の用途（例えば他の高周波回路のノイズ除去などの用途）にも広く利用することが可能である。
【図１】
0004925185.tif 000002
【図２】
0004925185.tif 000003
【図３】
0004925185.tif 000004
【図４】
0004925185.tif 000005
【図５】
0004925185.tif 000006
【図６】
0004925185.tif 000007
【図７】
0004925185.tif 000008
【図８】
0004925185.tif 000009
【図９】
0004925185.tif 000010
【図１０】
0004925185.tif 000011
【図１１】
0004925185.tif 000012
【図１２】
0004925185.tif 000013
【図１３】
0004925185.tif 000014
【図１４】
0004925185.tif 000015
【図１５】
0004925185.tif 000016
【図１６】
0004925185.tif 000017
【図１７】
0004925185.tif 000018
【図１８】
0004925185.tif 000019
【図１９】
0004925185.tif 000020
【図２０】
0004925185.tif 000021